(57)【特許請求の範囲】
【請求項１】
時計ケースの裏面に少なくとも一以上のバイブレーションモータをその一部を突出させて収容するゴム製のボックス部を形成し、前記バイブレーションモータがフレキシブルな素材のカバーで覆われて位置決めされているバイブレーション機能付き腕時計において、前記ボックス部には二個のバイブレーションモータを当接並設して収容してあり、前記したカバーは当接並設された二個のバイブレーションモータの突出する外形にフィットする曲成された略Ｗ字状の断面形態を有するものとしたことを特徴とするバイブレーション機能付き腕時計。
【請求項２】
電源となるバッテリーはバンドに収用し、そのバンドの一方端部は時計ケースの一方端部に固定され、そのバンドの他方端部にはバッテリーと通電状態とされた電線のジャックが突出され、そのジャックで時計ケースとを係合接続して電気的に前記バッテリーと少なくとも前記したバイブレーションモータとを継なげることを特徴とする請求項１に記載のバイブレーション機能付き腕時計。
【発明の詳細な説明】
【０００１】
【発明の属する技術分野】
本発明はバイブレ−ション機能付き腕時計に関し、特にそのバイブレ−ションの発生をより強力に、かつ、適格に使用者に感知させることができることとしたバイブレ−ション機能付き腕時計に関する。
【０００２】
【発明の背景】
近時は、載置型の時計に加えて、個人的な使用とされる腕時計にも所定の時刻の到来や一定時間の経過を、音響機構の鳴動に代え、あるいは加味してバイブレ−ションによって体感させて告知するバイブレ−ション機能付きの腕時計が開発されている。
【０００３】
このバイブレ−ション機能は、特に難聴者が装着することによって確実に情報を感知できるほか、第三者に迷惑をかけることなくプライベ−トにサイレントな状態で時の到来や経過を知るのに優れた作用を発揮する。
【０００４】
【発明が解決しようとする課題】
しかしながら、従来のバイブレ−ション機能付き腕時計にあってはリチウムバッテリ−等の薄型電池を時計ケ−スに収用し、かつ、バイブレ−ションモ−タも同様に時計ケ−スに収用して、バイブレ−ションモ−タの作動によって時計ケ−ス全体を振動させる構造となっている。そのために、時としてバイブレ−ションの伝達力が弱くなって、確実に使用者に対して情報を告知し得ない場合も生じてしまう。
【０００５】
【発明の目的】
そこで、本発明は上記した従来の実情、問題点に着目してなされたもので、かかる問題点を解消して、より一層のバイブレ−ション効果を高め、例えば熟睡時等にあっても有効に使用者に作用することができることとしたバイブレ−ション機能付き腕時計を提供することを目的としている。
【０００６】
【課題を解決するための手段】
この目的を達成するために、本発明に係るバイブレ−ション機能付き腕時計は時計ケ−スの裏面に少なくとも一以上のバイブレ−ションモ−タをその一部を突出させて収用するボックス部を形成し、前記したバイブレ−ションモ−タはフレキシブルな素材で成形されたカバ−で覆われて位置決めされていることを特徴とし、前記したボックス部もフレキシブルな素材で成形されていることを特徴とし、前記したカバ−には同素材の天板が設けられていることを特徴としている。
【０００７】
また、本発明に係るバイブレ−ション機能付き腕時計は前記ボックス部には二個のバイブレ−ションモ−タを当接並設して収用してあることを特徴とし、前記したカバ−は当接並設された二個のバイブレ−ションモ−タの突出する外形にフィットする曲成された略Ｗ字状の断面形態を有するものとしたことを特徴とし、前記したフレキシブルな素材としてゴムを用いてあることを特徴とし、電源となるバッテリ−はバンドに収用し、そのバンドと時計ケ−スとを係合接続して電気的に前記バッテリ−と少なくとも前記したバイブレ−ションとを継なげることを特徴としている。
【０００８】
さらに、本発明に係るバイブレーション機能付き腕時計は裏面となるボトムケースの一部に長方形とした窓孔を形成し、その窓孔からケースに収容された一本のバイブレーションモータの略半分程を遊嵌状態で突出させ、前記したバイブレーションモータはシリコンゴム製の上面開口のケースに収容され、そのバイブレーションモータの上面はシリコンゴム製のクッションケースカバーで閉塞され、前記したケースの下面は実際上の突出部品となるシリコンゴム製のクッションパッキンで覆われるとともに、前記したクッションケースカバーの上面は金属製のケース受で覆われていることを特徴としている。
【０００９】
【作用】
上記した構成としたことによって一部突出されたバイブレ−ションモ−タがフレキシブルな素材で成形されたカバ−によって緩衝されながら、装着箇所（手首等）に密着し、ダイレクトにバイブレ−ションを伝達するため、使用される電力は小さなものであっても大きな効果が得られ、例え、熟睡状態等の無意識時でも十分にバイブレ−ションを感知させることができることとなるのである。
【００１０】
【発明の実施の形態】
次に、本発明の好ましい実施の形態を図面を参照して説明する。図１は本発明を実施したバイブレ−ション機能付き腕時計の時計ケ−スとバンドとの接合を示す部分裏面図、図２は同じくバンドを示す部分側断面図、図３は同じく時計ケ−スの表面図、図４は同じくバイブレ−ションモ−タの収用状態を示す側面図、図５は同じく時計ケ−スとバイブレ−ションモ−タとの位置関係を示す正面図、図６は同じくカバ−装着状態を示す正面図、図７は同じくカバ−の正面図、図８は同じく天板の正面図、図９は第二の実施例に係るバイブレ−ション機能付き腕時計を示す正面図、図１０は同じく背面図、図１１は同じく平面図、図１２は同じく右側面図、図１３は同じく左側面図、図１４は同じく底面図、図１５は同じくバイブレ−ションモ−タの収容構造を示す分解斜視図である。
【００１１】
これらの図にあって１は時計ケ−スを示しており、この時計ケ−ス１の一方端部には時計バンド２の一方端部が固定止着されている。この時計バンド２にはバッテリ−３が収納されたものとされ、時計バンド２の他方端部には前記バッテリ−３と通電状態とされた電線４・４の先端のジャック５・５が突出されている。
【００１２】
このジャック５・５が突出された時計バンド２の端面には厚味をつけた係合部６が設けられ、この係合部６を時計ケ−ス１の受係止部７へ圧入係合させることで時計バンド２はル−プを形成して手首等の装着場所へ時計ケ−ス１を装着する。この圧入係合によってジャック５・５は時計ケ−ス１内のソケット部へ挿し込まれ、バッテリ−３と時計ケ−ス１内との電気的接続がなされることとなる。
【００１３】
また、時計ケ−ス１の表面側には、例えば液晶を用いた時刻等の表示部８が面一状態で設けられ、裏面側には振動源となる二個のバイブレ−ションモ−タ９・９が当接並設され、その略半径分ぐらいを外部に突出させて備えられている。
【００１４】
このバイブレ−ションモ−タ９・９の具備については時計ケ−ス１の着脱可能とされている裏蓋１０にバイブレ−ションモ−タ９・９を収用するボックス部１１を開口して形成している。このボックス部１１の周壁面には弾性、緩衝性を有するゴム１２が使用され、そのボックス部１１の天面には中蓋１３が設けられている。
【００１５】
このボックス部１１にバイブレ−ションモ−タ９・９が収用されるに先立ち、バイブレ−ションモ−タ９・９はゴムによって成形された深皿パック状のカバ−１４に納められる。このカバ−１４はバイブレ−ションモ−タ９・９が二個、当接並設して密にセットされるように、断面を曲成した略Ｗ字状のものとしているもので、その開口縁にはフランジ１４ａが形成されている。
【００１６】
また、このカバ−１４にはバイブレ−ションモ−タ９・９のセット後に、その開口はゴム製の天板１５によって閉塞される。この天板１５の裏面には平行した二本の突条１５ａ・１５ａが設けられ、この突条１５ａ・１５ａがカバ−１４の開口内面と当接し、位置決めされ、その突条１５ａ・１５ａの外側部分をフランジ１４ａによって受けられるものとなっている。
【００１７】
本実施の形態に係るバイブレ−ション機能付き腕時計は上記のように構成されている。この実施の形態ではバイブレ−ションモ−タ９・９を二個使用したが、これにこだわるものではなく、一個あるいは三個以上でもよく、また、フレキシブルな素材としてゴムを使用しているが、これも例えばビニ−ル等のプラスチック等の別素材で代替することも可能である。
【００１８】
ここで、この実施の形態に係る作用を説明すると、周囲をゴムで囲まれ、当接並設された二個のバイブレ−ションモ−タ９・９は時計ケ−ス１から、その略半径分ほど外部に突出されており、この突出した部分が周囲のゴムの弾性、フレキシブル性によって蜜に手首等の装着場所に押し付けられる。バイブレ−ションモ−タ９・９が駆動すると、その振動は相互の衝突によっても増幅されて、より強く使用者に対して伝達されることとなり、この際、バイブレ−ションモ−タ９・９の周囲にあるゴムも同期して振動し、これを妨げることもなくなる。
【００１９】
また、図９乃至図１５として示す第二の実施例にあって、１６は時計ケ−スを示し、１７は化粧ケ−スを示しており、この化粧ケ−ス１７の一部にはアナログタイプとした文字盤１８のライトアップ用としたゴム製のスイッチボタン１９が設けられている。２０は龍頭、２１は後述するバイブレ−ションモ−タのストップスイッチボタンを示している。
【００２０】
裏面となるボトムケ−ス２２には回動蓋２３で開閉自在とされたバッテリ−ボックスが設けられ、このバッテリ−ボックスの下方部位には長方形とした窓孔２４が形成されている。この窓孔２４にはケ−スに収容されたバイブレ−ションモ−タ２５の一部（略半分程）が遊嵌状態で突出されて備えられている。
【００２１】
この第二の実施例にあってバイブレ−ションモ−タ２５は一本が使用され、このバイブレ−ションモ−タ２５はシリコンゴムによって成形された上面開口のモ−タケ−ス２６に収納される。このモ−タケ−ス２６はそのフランジ面上に結合用のピン２７・２７‥が立設されている。モ−タケ−ス２６に対してはその上面をシリコンゴム製のクッションカバ−ケ−ス２８によって覆われ、そのクッションカバ−ケ−ス２８のフランジに形成されたピン孔２９・２９‥に前記ピン２７・２７‥が嵌合止着されて密封状態とされる。
【００２２】
さらに、モ−タケ−ス２６の下面はシリコンゴム製のクッションパッキン３０によって被覆され、このクッションパッキン３０が実際上の突出部品となり、装着時に使用者の手首と当接するものとなる。そして、前記したクッションカバ−ケ−ス２８の上面はステンレス製のモ−タカバ−受３１によって受けられ、支持されるものとなっている。第二の実施例の場合には係る構成とすることで振動を独立させたものとでき、より一層振動による告知を精巧に使用者に対して行なうことができるものとしている。また、本実施例では振動源としてバイブレ−ションモ−タを使用したが、これにこだわらず、他の振動部材を用いることも可能である。
【００２３】
【発明の効果】
本発明に係るバイブレ−ション機能付き腕時計は上述のように構成され、作用する。そのため、従来にも増してバイブレ−ションを強力に使用者に伝達することができ、その作用には小さな消費電力で済むものとなっており、バッテリ−の寿命も長くなることとなり、バイブレ−ションモ−タの交換や手首への装着作業も容易なものとなっている。
【図面の簡単な説明】
【図１】本発明を実施したバイブレ−ション機能付き腕時計の時計ケ−スとバンドとの接合を示す部分裏面図である。
【図２】バンドを示す部分側断面図である。
【図３】時計ケ−スの表面図である。
【図４】バイブレ−ションモ−タの収用状態を示す側面図である。
【図５】時計ケ−スとバイブレ−ションモ−タとの位置関係を示す正面図である。
【図６】カバ−装着状態を示す正面図である。
【図７】カバ−の正面図である。
【図８】天板の正面図である。
【図９】第二の実施例に係るバイブレ−ション機能付き腕時計を示す正面図である。
【図１０】背面図である。
【図１１】平面図である。
【図１２】右側面図である。
【図１３】左側面図である。
【図１４】底面図である。
【図１５】バイブレ−ションモ−タの収容構造を示す分解斜視図である。
【符号の説明】
１  時計ケ−ス
２  時計バンド
３  バッテリ−
４  電線
５  ジャック
６  係合部
７  受係止部
８  表示部
９  バイブレ−ションモ−タ
１０  裏蓋
１１  ボックス部
１２  ゴム
１３  中蓋
１４  カバ−
１４ａ  フランジ
１５  天蓋
１５ａ  突条
１６  時計ケ−ス
１７  化粧ケ−ス
１８  文字盤
１９  スイッチボタン
２０  龍頭
２１  ストップスイッチボタン
２２  ボトムケ−ス
２３  回動蓋
２４  窓孔
２５  バイブレ−ションモ−タ
２６  モ−タケ−ス
２７  ピン
２８  カバ−ケ−ス
２９  ピン孔
３０  クッションパッキン
３１  モ−タカバ−受
【図１】
0003935384.tif 000002
【図２】
0003935384.tif 000003
【図３】
0003935384.tif 000004
【図４】
0003935384.tif 000005
【図５】
0003935384.tif 000006
【図６】
0003935384.tif 000007
【図７】
0003935384.tif 000008
【図８】
0003935384.tif 000009
【図９】
0003935384.tif 000010
【図１０】
0003935384.tif 000011
【図１１】
0003935384.tif 000012
【図１２】
0003935384.tif 000013
【図１３】
0003935384.tif 000014
【図１４】
0003935384.tif 000015
【図１５】
0003935384.tif 000016